(57)【要約】【課題】シートバックの外皮に擦り傷や破損が生じることなく、シートバックの前倒時にはバックルが自動的に収納位置に移動すること。【解決手段】  シートクッション１８とシートバック２０とを連結する連結アーム５６にピン８６を設け、シートバック２０の前倒によってピン８６がバックル支持アーム７２に当接することにより、バックル２８が使用位置から収納位置に移動する構造にする。【選択図】図６
2017222313.tif 000002
【特許請求の範囲】
【請求項１】
フロアに回動可能に取り付けられた前倒可能なシートバックと、
前記シートバックに回動可能に取り付けられた一端を有する連結アームと、
前記連結アームの他端に結合された後部を有するシートクッションと、
前記フロアの前記シートクッションの側方に対応する部分に起立した使用位置と当該使用位置から前倒した収納位置との間に回動可能に取り付けられた一端を有するバックル支持アームと、
前記バックル支持アームの他端に取り付けられ、シートベルトを着脱可能に接続されるバックルと、
前記連結アームに設けられ、前記シートバックの前倒によって前記バックル支持アームと当接し、前記バックルを前記使用位置から前記収納位置に移動させる突起とを有する車両用シート。
【請求項２】
前記連結アームは金属製であり、当該連結アームを被覆する樹脂製のカバーを更に有し、
前記突起は一端を前記連結アームに固定された金属製のピンにより構成され、当該ピンは、前記カバーに形成された貫通孔或いは切欠き部を通って前記カバーの外方に突出しており、突出部分において前記バックル支持アームと当接する請求項１に記載の車両用シート。
【請求項３】
前記バックルを前記使用位置に向かう回動方向に付勢するばねを有する請求項１又は２に記載の車両用シート。
【請求項４】
前記シートクッションは側部にクッション側凹部を有し、当該クッション側凹部に前記バックルの少なくとも一部が配置されている請求項１から３の何れか一項に記載の車両用シート。
【請求項５】
前記シートクッションは、前部をリンクによって前記フロアに接続され、前記シートバックの前倒によって前進しつつ降下する請求項１から４の何れか一項に記載の車両用シート。
【請求項６】
前記シートバックが起立した位置にある時には前記バックルが前記収納位置に移動できず、前記シートバックが前倒した位置にある時には前記シートクッションの前進によって前記バックルが前記収納位置に移動できるスペースが確保される構造である請求項５に記載の車両用シート。
【請求項７】
前記バックルは前記使用位置ではシートベルト嵌合口を有する上部の少なくとも一部が前記シートクッションの上面より上方に位置する請求項１から６の何れか一項に記載の車両用シート。
【請求項８】
左右に隣り合う車両用シートの前記バックルは互いに隣り合って近接する側に配置されている請求項１から７の何れか一項に記載の車両用シート。
【発明の詳細な説明】
【技術分野】
【０００１】
本発明は、車両用シートに関し、更に詳細には、前倒可能なシートバックを有する車両用シートにおけるシートベルト用のバックルの収納構造に関する。
【背景技術】
【０００２】
自動車等の車両に用いられるシートとして、前倒可能なシートバックを有し、シートバックの前倒によってシートバック自体がシートベルト用のバックルに当接し、シートバックが前倒時に、バックルが邪魔にならない収納位置に自動的に移動するものが知られている。
【先行技術文献】
【特許文献】
【０００３】
【特許文献１】特開２０１０−１６２９８７号公報
【発明の概要】
【発明が解決しようとする課題】
【０００４】
上述のような車両用シートでは、シートバック自体、つまりシートバックの外皮にバックルが直接に当接するため、シートバックを繰り返し前倒させると、シートバックの外皮に擦り傷が生じ、美観を損ねるばかりでなく、外皮が破損する虞がある。
【０００５】
本発明が解決しようとする課題は、シートバックの外皮に擦り傷や破損が生じることなく、シートバックの前倒時にはバックルが自動的に収納位置に移動することである。
【課題を解決するための手段】
【０００６】
本発明による車両用シートは、フロア（４０）に回動可能に取り付けられた前倒可能なシートバック（２０）と、前記シートバック（２０）に回動可能に取り付けられた一端を有する連結アーム（５６）と、前記連結アーム（５６）の他端に結合された後部を有するシートクッション（１８）と、前記フロア（４０）の前記シートクッション（１８）の側方に対応する部分に起立した使用位置と当該使用位置から前倒した収納位置との間に回動可能に取り付けられた一端を有するバックル支持アーム（７２）と、前記バックル支持アーム（７２）の他端に取り付けられ、シートベルト（７６）を着脱可能に接続されるバックル（２８）と、前記連結アーム（５６）に設けられ、前記シートバック（２０）の前倒によって前記バックル支持アーム（７２）と当接し、前記バックル（２８）を前記使用位置から前記収納位置に移動させる突起（８６）とを有する。
【０００７】
この構成によれば、バックル支持アーム（７２）と突起（８６）との当接により、バックル（２８）は、シートバック（２０）の外皮に接触することなく使用位置から収納位置に移動するから、この移動過程でバックル（２８）がシートバック（２０）の外皮に擦り傷を与えることがなく、長期間の使用においても、シートバック（２０）の外皮に破損が生じることがない。
【０００８】
本発明による車両用シートは、好ましくは、前記連結アーム（５６）及び前記バックル支持アーム（７２）は金属製であり、前記連結アーム（５６）を被覆する樹脂製のカバー（５８）を更に有し、前記突起（８６）は一端を前記連結アーム（５６）に固定された金属製のピン（８６）により構成され、当該ピン（８６）は、前記カバー（５８）に形成された貫通孔（８８）或いは切欠き部（９０）を通って前記カバー（５８）の外方に突出しており、突出部分において前記バックル支持アーム（７２）と当接する。
【０００９】
この構成によれば、ピン（８６）とバックル支持アーム（７２）との当接は金属同士の当接になり、長期間の使用においても、バックル支持アーム（７２）とピン（８６）との当接部に大きい傷が付いたり、当接部が早期に摩耗したりすることがなく、優れた耐久性が得られる。
【００１０】
本発明による車両用シートは、好ましくは、前記バックル（２８）を前記使用位置に向かう回動方向に付勢するばね（８４）を有する。
【００１１】
この構成によれば、ばね（８４）のばね力によってバックル（２８）が前記収納位置から前記使用位置に自動復帰する。
【００１２】
本発明による車両用シートは、好ましくは、前記シートクッション（１８）は側部にクッション側凹部（５２）を有し、当該クッション側凹部（５２）に前記バックル（２８）の少なくとも一部が配置されている。
【００１３】
この構成によれば、乗員の着座面が広く確保され、外観の見栄えもよくなる。
【００１４】
本発明による車両用シートは、好ましくは＜前記シートクッション（１８）は、前部をリンク（６４）によって前記フロア（４０）に接続され、前記シートバック（２０）の前倒によって前進しつつ降下する。
【００１５】
この構成によれば、ダイブダウン方式の車両用シートにおいて、シートバック（２０）の前倒に応じて突起（８６）が前方に移動しつつバックル支持アーム（７２）に当接し、この当接に伴ってバックル（２８）が前記使用位置から前記収納位置に移動する。この移動において、バックル（２８）がシートバック（２０）の外皮に接触することがないから、シートバック（２０）の外皮に擦り傷が付くことがない。
【００１６】
本発明による車両用シートは、好ましくは、前記シートバック（２０）が起立した位置にある時には前記バックル（２８）が前記収納位置に移動できず、前記シートバック（２０）が前倒した位置にある時には前記シートクッション（１８）の前進によって前記バックル（２８）が前記収納位置に移動できるスペースが確保される構造である。
【００１７】
この構成によれば、クッション側凹部（５２）等、バックル（２８）の配置スペースを小さくでき、見栄えがよくなる。
【００１８】
本発明による車両用シートは、好ましくは、前記バックル（２８）は前記使用位置ではシートベルト嵌合口（８０）を有する上部の少なくとも一部が前記シートクッション（１８）の上面より上方に位置する。
【００１９】
この構成によれば、車両用シートに着座した乗員がバックル（２８）を見付け易く、シートベルト嵌合口（８０）にタング（７８）を差し込む操作が行い易くなる。
【００２０】
本発明による車両用シートは、好ましくは、左右に隣り合う車両用シートの前記バックルは互いに隣り合って近接する側に配置されている。
【００２１】
この構成によれば、バックルをシート幅方向にコンパクトに配置することができ、左右に隣り合う車両用シートの隙間を小さくして見栄えのよいものにすることができる。
【発明の効果】
【００２２】
本発明による車両用シートによれば、バックル支持アームと突起との当接により、バックルは、シートバックの外皮と接触することなく、使用位置から収納位置に移動するから、この移動過程でバックルがシートバックの外皮に擦り傷を与えることがなく、長期間の使用においても、シートバックの外皮に破損が生じることがない。
【図面の簡単な説明】
【００２３】
【図１】本発明の車両用シートの一つの実施形態の全体構成を示す斜視図
【図２】本実施形態による車両用シートの右側席を示す拡大斜視図
【図３】本実施形態による車両用シートの右側席のカバーを取り外した状態を示す拡大斜視図
【図４】本実施形態による車両用シートの要部を示す拡大斜視図
【図５】本実施形態による車両用シートのシートバックの起立状態を示す側面図
【図６】本実施形態による車両用シートのシートバックの起立−前倒の中間状態を示す側面図
【図７】本実施形態による車両用シートのシートバックの前倒状態を示す側面図
【図８】他の実施形態による車両用シートの要部を示す拡大斜視図
【発明を実施するための形態】
【００２４】
以下に、本発明による車両用シートの実施形態を、図面を参照して説明する。
【００２５】
本実施形態の車両用シート１０は、３列シートのワンボックスカーの２列目のシートに適用され、図１に示されているように、右側席１２と中間席１４と左側席１６とを左右一列に有する。
【００２６】
右側席１２は独立したシートクッション１８及びシートバック２０を有する。中間席１４及び左側席１６は共通のシートクッション２２及びシートバック２４を有する。中間席１４の部分のシートバック２４には回動操作によって収納可能なアームレスト２６が設けられている。
【００２７】
右側席１２のシートベルト用のバックル２８はシートクッション１８の左側後部に、中間席１４のシートベルト用のバックル３０はシートクッション２２の右側後部に、左側席１６のシートベルト用のバックル３２はシートクッション２２の中間席１４との境界部の後部に各々配置されている。これにより、左右に隣り合う右側席１２のバックル２８と中間席１４のバックル３０とは互いに隣り合って近接する側に配置される。
【００２８】
バックル２８及びバックル３０の取付構造は、左右反転した同一構造である。以下に、バックル２８を含む右側席１２について、図２〜図７を参照して説明する。
【００２９】
車両のフロアパネル４０には、図５〜図７に示されているように、左右一対の後部ブラケット４２が固定されている。後部ブラケット４２は左右方向に水平に延在する支持軸４４によってシートバック２０の一端（起立状態では下端）を支持軸４４の中心軸線周りに回動可能に支持している。かくして、シートバック２０は、フロアパネル４０に回動可能に取り付けられた一端を有する前倒可能なシートバックをなす。
【００３０】
シートバック２０の背面にはラッチ４６が取り付けられている。ラッチ４６は、車両のサイドパネル（不図示）に取り付けられたストライカ４８に係脱可能に係合することにより、図５に示されているように、シートバック２０を起立状態（着座可能状態）に保持する。
【００３１】
シートバック２０は左側部の一端側に内側に凹んだバック側凹部５０を有する。シートバック２０には、図３に示されているように、バック側凹部５０の部分に、左右方向に水平に延在する連結軸５４によってプレス成形品（金属製）による折曲形状の連結アーム５６の一端（上端）が連結軸５４の中心軸線周りに回動可能に取り付けられている。連結軸５４は、側面視で支持軸４４とは異なった位置、詳細にはシートバック２０の起立状態では支持軸４４より上方の位置にある（図５参照）。連結アーム５６の他端（前端）はシートクッション１８の後部に固定（結合）されている。かくして、シートクッション１８は連結アーム５６の他端に結合された後部を有するシートクッションをなす。なお、連結アーム５６によるシートクッション１８とシートバック２０との連結構造は、これらの右側部にも同様に設けられている。
【００３２】
連結アーム５６には当該連結アーム５６を被覆する化粧用の樹脂製のカバー５８が取り付けられている。カバー５８は、バック側凹部５０及び後述するクッション側凹部５２より外側方にはみ出すことなくバック側凹部５０内及びクッション側凹部５２内に配置されている。
【００３３】
図５〜図７に示されているように、フロアパネル４０には左右一対の前部ブラケット６０が固定されている。各前部ブラケット６０には枢軸６２によってリンク部材６４の一端が左右方向に延在する水平軸線周りの回動可能に連結されている。リンク部材６４の他端はシートクッション１８の後部に枢軸６６によって左右方向に延在する水平軸線周りの回動可能に連結されている。
【００３４】
これにより、格納時には、シートバック２０の前倒に伴ってシートクッション１８が前側に移動しながら降下するダイブダウン方式の車両用シート１０が構成される。シートクッション１８は、シートバック２０が起立した位置にある時には後退位置に位置し、（図５参照）、シートバック２０が前倒した位置にある時には前進位置に位置する（図７参照）。
【００３５】
フロアパネル４０にはアンカー６８が固定されている。アンカー６８は支持軸７０によって金属板によるバックル支持アーム７２の一端（基端）を左右方向に延在する水平軸線周りの回動可能に支持している。バックル支持アーム７２の他端（先端）にはバックル２８が固定されている。バックル２８の上部には、シートベルト７６（図２、図３参照）に取り付けられているタング７８（図２、図３参照）が抜き差し可能（着脱可能）に差し込まれるシートベルト嵌合口８０が開口していると共に、解除ボタン８２が取り付けられている。
【００３６】
シートクッション１８は左側部の後部側に内側に凹んだクッション側凹部５２を有する。バックル２８はクッション側凹部５２内に配置され、図２〜図５に示されているように、シートクッション１８の側方に起立した使用位置と、図７に示されているように、シートクッション１８の側方に前倒した収納位置との間に回動可能になっている。
【００３７】
クッション側凹部５２は、シートバック２０が起立した位置にある時には、シートクッション１８が後退位置にあることにより、クッション側凹部５２の前壁５２Ａがバックル２８に近接した位置にあってバックル２８を起立状態で配置するのに必要な前後方向のスペースを有しているだけで、バックル２８を前倒状態で配置するのに必要な前後方向のスペースを有さない。クッション側凹部５２は、シートバック２０が前倒した位置にある時には、シートクッション１８の前進位置への移動によって前壁５２Ａがバックル２８より前方に離れる方向に移動することにより、バックル２８を前倒状態で配置するのに必要な前後方向のスペースが確保される、最小必要限の前後方向長さのものである。
【００３８】
バックル２８は、使用位置を含めて正面視でカバー５８と重なる位置に配置され、図２〜図５に示されているように、シートベルト嵌合口８０を有する上部の一部がシートクッション１８の上面より上方に位置する。
【００３９】
支持軸７０には、一端をアンカー６８に係止され、他端をバックル支持アーム７２に係止された捩りコイルばね８４が取り付けられている。捩りコイルばね８４はばね力によってバックル２８が使用位置に向かう回動方向にバックル支持アーム７２を付勢している。
【００４０】
連結アーム５６にはかしめ等によって一端を連結アーム５６に固定された金属製のピン８６が設けられている。ピン８６は、連結アーム５６から側方に略水平に延在し、カバー５８に形成された貫通孔８８を通ってカバー５８の外方に突出しており、突出部分においてバックル支持アーム７２の上側の端面７２Ａに当接可能に対向している。ピン８６は、シートバック２０の前倒によってバックル支持アーム７２の端面７２Ａに当接し、捩りコイルばね８４のばね力に抗してバックル支持アーム７２と共にバックル２８を押し倒すようにして使用位置から収納位置に移動させる。
【００４１】
カバー５８はバック側凹部５０及びクッション側凹部５２より側外方にはみ出すことなくバック側凹部５０内及びクッション側凹部５２内に配置され、バックル２８がクッション側凹部５２に配置され、しかも、バックル２８は、正面視でカバー５８と重なる位置に配置されているので、カバー５８をシート幅方向にコンパクトに配置でき、右側席１２の着座スペースを小さくすることなく右側席１２を見栄えよくコンパクトに設計することができる。
【００４２】
また、左右に隣り合う右側席１２のバックル２８と中間席１４のバックル３０とは互いに隣り合って近接する側において配置されるから、バックル２８及びバックル３０をシート幅方向（左右方向）にコンパクトに配置でき、右側席１２と中間席１４との隙間を小さくして見栄えのよいものにすることができる。
【００４３】
つぎに、図５〜図７を参照して車両用シート１０の格納操作に伴うバックル２８の動作について説明する。
【００４４】
図５は、ラッチ４６がストライカ４８に係合し、シートバック２０が起立した着座可能状態を示している。この状態の時には、バックル２８は、捩りコイルばね８４にばね力によって使用位置にある。使用位置では、シートベルト嵌合口８０を有する上部の一部がシートクッション１８の上面より上方に位置しているので、右側席１２に着座した乗員がバックル２８を見付け易く、シートベルト嵌合口８０にタング７８を差し込む操作を行い易くなる。また、バックル２８の全体がシートクッション１８の上面より上方に位置することはないので、見栄えがよく、バックル２８が乗車の邪魔になることもない。
【００４５】
右側席１２を格納する場合は、まず、ラッチ４６とストライカ４８との係合を外し、図６に示されているように、シートバック２０の上側を前側に押す。これにより、シートバック２０が支持軸４４を回動中心として反時計廻り方向に回動、つまり前倒する。
【００４６】
シートバック２０の前倒に伴って、連結軸５４が支持軸４４を中心とする円弧を描いて反時計廻り方向へ変位するから、連結アーム５６及びカバー５８とシートクッション１８とが一体となってフロアパネル４０に対して前進しつつ降下する。この移動によってピン８６がバックル支持アーム７２の端面７２Ａに当接し、バックル支持アーム７２はピン８６によって押されるようにして捩りコイルばね８４にばね力に抗してバックル２８を前側に押し倒す方向に回動する。換言すると、バックル支持アーム７２がピン８６に押されて支持軸７０を中心として反時計廻り方向に回動する。
【００４７】
シートクッション１８はシートバック２０の前倒に伴って前側に移動するので、クッション側凹部５２も前側に移動し、バックル２８がクッション側凹部５２の前壁と干渉することがない。これにより、クッション側凹部５２の前後長が短くてよく、シートクッション１８の側部にバックル２８の配置のための大きい空洞ができることがないから、シートバック２０が起立した状態においてバックル２８の配置部の間隙が小さく、車両用シート１０の美観が損なわれることがない。
【００４８】
図７に示されているように、シートバック２０がシートクッション１８上に重なる位置まで前倒されることにより、右側席１２の格納が完了する。この時には、バックル２８は上述のバックル支持アーム７２の回動によって自動的にシートクッション１８の側方に前倒した収納位置に位置する。
【００４９】
このように、バックル２８は、シートバック２０の外皮と接触することなく収納位置に位置するから、この移動過程でバックル２８がシートバック２０の外皮に擦り傷を与えることがなく、長期間の使用においても、シートバック２０の外皮に破損が生じることがない。
【００５０】
また、金属製のバックル支持アーム７２と当接するピン８６が金属製であることにより、長期間の使用においても、バックル支持アーム７２とピン８６との当接部に大きい傷が付いたり、当接部が早期に摩耗したりすることがない。
【００５１】
また、バックル支持アーム７２に対するピン８６の設置位置の自由度が高いことによりピン８６によってバックル支持アーム７２を回動させる動作を容易に最適なものに設定することができる。
【００５２】
図７に示されているように、格納状態から右側席１２を元の着座可能状態に戻す時には、前倒しているシートバック２０の前側を持ち上げるようにして、シートバック２０を、支持軸４４を中心として時計廻り方向に回動（起立）させ、図５に示されているように、ラッチ４６をストライカ４８に係合させる。
【００５３】
この戻し動作においては、シートバック２０が起立している時の位置に戻ることに応じてピン８６が後退移動するので、バックル支持アーム７２は、ピン８６の後退移動に追随して捩りコイルばね８４にばね力により元の位置に自動的に復帰する。これにより、バックル２８を手操作によって使用位置に戻す必要がなく、使い勝手のよいものになる。
【００５４】
バックル２８はクッション側凹部５２内を回動移動するから、乗員の着座面を広く確保でき、外観の見栄えもよくできる。また、バックル２８の配置のために、シートクッション１８の形状が複雑になることがなく、シートクッション１８の外皮の縫製作業性が悪くなることもない。
【００５５】
連結アーム５６及びカバー５８はバック側凹部５０内を回動移動するから、乗員の着座面を広く確保でき、外観の見栄えもよくできる。また、バックル２８の配置のために、シートバック２０の形状が複雑になることがなく、シートバック２０の外皮の縫製作業性が悪くなることもない。
【００５６】
以上、本発明を、その好適な実施形態について説明したが、当業者であれば容易に理解できるように、本発明はこのような実施形態により限定されるものではなく、本発明の趣旨を逸脱しない範囲で適宜変更可能である。例えば、図８に示されているように、カバー５８に貫通孔８８に代えて切欠部９０が形成され、ピン８６は切欠部９０を通ってカバー５８に突出していてもよい。また、バックル支持アーム７２をゴム等の弾性材によって構成し、バックル支持アーム７２の弾性変形によってバックル２８が使用位置と格納位置との間に移動可能になっていてもよい。また、上記実施形態に示した構成要素は必ずしも全てが必須なものではなく、本発明の趣旨を逸脱しない限りにおいて適宜取捨選択することが可能である。
【符号の説明】
【００５７】
１０    車両用シート
１２    右側席
１８    シートクッション
２０    シートバック
２２    シートクッション
２８    バックル
４０    フロアパネル
４２    後部ブラケット
４４    支持軸
５０    バック側凹部
５２    クッション側凹部
５４    連結軸
５６    連結アーム
５８    カバー
６０    前部ブラケット
６４    リンク部材
６８    アンカー
７０    支持軸
７２    バックル支持アーム
７６    シートベルト
７８    タング
８０    シートベルト嵌合口
８４    捩りコイルばね
８６    ピン（突起）
８８    貫通孔
９０    切欠き部
【図１】
2017222313.tif 000003
【図２】
2017222313.tif 000004
【図３】
2017222313.tif 000005
【図４】
2017222313.tif 000006
【図５】
2017222313.tif 000007
【図６】
2017222313.tif 000008
【図７】
2017222313.tif 000009
【図８】
2017222313.tif 000010